(57)【特許請求の範囲】
【請求項１】
熱媒を貯留する貯留タンクと、
前記貯留タンクの上部と下部とを連通したタンク循環路と、
前記貯留タンク内の熱媒を前記タンク循環路を介して該貯留タンクの下部から上部へと循環させるタンク循環ポンプと、
前記タンク循環路を流通する熱媒を加熱するヒートポンプと、
前記貯留タンクの上部と下部とを暖房端末を介して連通した暖房循環路と、
前記貯留タンク内の熱媒を前記暖房循環路を介して該貯留タンクの上部から下部へと循環させる暖房循環ポンプと、
前記暖房循環路を流通する熱媒を前記暖房端末の上流側で加熱する補助熱源と、
正常接続状態時には、前記暖房循環路の前記補助熱源による加熱箇所よりも上流側が前記貯留タンクの上部に接続され、前記暖房循環路の前記暖房端末よりも下流側が前記貯留タンクの下部に接続された状態となる暖房装置において、
前記貯留タンク内の熱媒の温度を検出するタンク温度検出手段と、
前記暖房循環路の前記補助熱源による加熱箇所よりも上流側の該暖房循環路内の熱媒の温度を検出する暖房循環路温度検出手段と、
前記タンク温度検出手段による検出温度が前記暖房端末において放熱がなされる温度となった状態で前記暖房循環ポンプを駆動した際に、前記暖房循環路温度検出手段による検出温度が前記タンク温度検出手段による検出温度から所定温度減算した減算温度よりも高い場合、前記正常接続状態であると判定し、報知する正常接続判定手段と、
を備えることを特徴とする暖房装置。
【請求項２】
請求項１に記載の暖房装置において、
前記暖房循環路温度検出手段は、前記暖房循環路と前記貯留タンクの上部との接続部よりも低い位置に設けられていることを特徴とする暖房装置。
【請求項３】
請求項１又は２に記載の暖房装置において、
前記正常接続判定手段は、前記暖房循環路温度検出手段による検出温度が前記減算温度よりも高い時間が所定時間継続した場合に、前記正常接続状態であると判定し、報知することを特徴とする暖房装置。
【請求項４】
請求項３に記載の暖房装置において、
前記所定時間は、前記貯留タンクの上部から前記タンク温度検出手段までの前記貯留タンクの容量と、前記熱媒の流量に基づいて決定されることを特徴とする暖房装置。
【発明の詳細な説明】
【技術分野】
【０００１】
本発明は、温水等の熱媒を用いて暖房を行う暖房装置に関する。
【背景技術】
【０００２】
温水等の熱媒を用いた暖房装置において、ヒートポンプ等の熱源機により加熱した温水を貯留タンクに貯留し、この貯留した温水を床暖房装置等の暖房端末を経由して循環させて、温水の熱を床暖房装置で放熱させることで暖房を行う構成が知られている。このような暖房装置は、ヒートポンプと貯留タンクとを配管により接続する。配管が正しく接続されていない場合には、所望の温度での暖房を行うことができなくなる。そこで、配管が正しく接続されているか否かを判定する技術が提案されている（例えば、特許文献１及び２）。
【０００３】
特許文献１に記載された暖房装置は、ヒートポンプの出口温度がヒートポンプ入口温度よりも高く、且つタンク下部温度がタンク上部温度よりも高い場合には、ヒートポンプ自体は正常に動作しているが、温水が流入するはずのタンク上部温度よりも、タンク下部温度が高くなっていることから、ヒートポンプと貯留タンクとが正しく接続されていないと判定し、接続状態の確認を指示する表示を行う。
【０００４】
特許文献２に記載された暖房装置は、循環ポンプの駆動により、貯留タンクの底部の温水をヒートポンプへ送る際に、その流路に設けられた流量センサで流量を検出し、この検出流量と沸き上げ温度に基づいて指示された指示流量との差を算出し、算出量が所定流量よりも大きい場合には、ヒートポンプと貯留タンクとが正しく接続されていないと判定する。
【先行技術文献】
【特許文献】
【０００５】
【特許文献１】特開２００７−３３３２８８号公報
【特許文献２】特開２０１１−０９９６０２号公報
【発明の概要】
【発明が解決しようとする課題】
【０００６】
ヒートポンプとは別の補助熱源を有する暖房装置では、貯留タンクと暖房端末とを連通する暖房循環路の途中に補助熱源が設けられる。このような暖房装置において、暖房循環路と貯留タンクとの正常接続を判定するために、特許文献１及び２のような接続判定を行うことが考えられる。
【０００７】
しかしながら、特許文献１では、タンク上部温度よりもタンク下部温度が高い場合に誤接続と判定しているが、誤接続されてタンク下部からタンク上部に温水が流れる際にも、温水の流量が多い場合には、温水が温度低下せずにタンク下部からタンク上部に流れることがある。この場合には、タンク上部温度とタンク下部温度とがほぼ同じになり、誤接続であっても、正常接続であると判定される。また、ヒートポンプの駆動開始時には、ヒートポンプの能力不足により、誤接続されていてもタンク上部温度とタンク下部温度とがほぼ同じになることがあり、誤接続であっても、正常接続であると判定される。
【０００８】
特許文献２では、流量センサでの検出流量と指示流量との差が、所定流量よりも大きい場合には、誤接続と判定しているが、温水の流量が多い場合には、誤接続されていても流量センサでの検出流量と指示流量との差が所定流量よりも大きくならないことがあり、誤接続であっても、正常接続であると判定される。
【０００９】
本発明は、このような事情に鑑みてなされたものであり、暖房循環路と貯留タンクとの正常接続を確実に判定することができる暖房装置を提供することを目的とする。
【課題を解決するための手段】
【００１０】
本発明の暖房装置は、熱媒を貯留する貯留タンクと、前記貯留タンクの上部と下部とを連通したタンク循環路と、前記貯留タンク内の熱媒を前記タンク循環路を介して該貯留タンクの下部から上部へと循環させるタンク循環ポンプと、前記タンク循環路を流通する熱媒を加熱するヒートポンプと、前記貯留タンクの上部と下部とを暖房端末を介して連通した暖房循環路と、前記貯留タンク内の熱媒を前記暖房循環路を介して該貯留タンクの上部から下部へと循環させる暖房循環ポンプと、前記暖房循環路を流通する熱媒を前記暖房端末の上流側で加熱する補助熱源と、正常接続状態時には、前記暖房循環路の前記補助熱源による加熱箇所よりも上流側が前記貯留タンクの上部に接続され、前記暖房循環路の前記暖房端末よりも下流側が前記貯留タンクの下部に接続された状態となる暖房装置において、前記貯留タンク内の熱媒の温度を検出するタンク温度検出手段と、前記暖房循環路の前記補助熱源による加熱箇所よりも上流側の該暖房循環路内の熱媒の温度を検出する暖房循環路温度検出手段と、前記タンク温度検出手段による検出温度が前記暖房端末において放熱がなされる温度となった状態で前記暖房循環ポンプを駆動した際に、前記暖房循環路温度検出手段による検出温度が前記タンク温度検出手段による検出温度から所定温度減算した減算温度よりも高い場合、前記正常接続状態であると判定し、報知する正常接続判定手段と、を備えることを特徴とする。
【００１１】
本発明によれば、タンク温度検出手段での検出温度が暖房端末において放熱がなされる温度（例えば、８０°Ｃ）となった状態で暖房循環ポンプを駆動した際に、正常接続時であれば、貯留タンクの上部から暖房循環路に供給される熱媒の温度が、熱媒が暖房端末に至る前に暖房循環路温度検出手段によって検出される。したがって、タンク温度検出手段による検出温度と、暖房循環路温度検出手段による検出温度とは、ほぼ同じ（８０°Ｃ程度）、又は暖房循環路温度検出手段による検出温度が少し（例えば、２°Ｃ程度）低くなる。それに対して、誤接続時には、貯留タンクの下部から暖房循環路に供給された熱媒の温度が、熱媒が暖房端末を経由して放熱した後に暖房循環路温度検出手段によって検出（例えば、６０°Ｃ）される。そのため、暖房循環路温度検出手段による検出温度（６０°Ｃ）が、タンク温度検出手段による検出温度（８０°Ｃ）から所定温度（例えば、５°Ｃ）減算した減算温度（７５°Ｃ）以下となる。この点に着目して、正常接続判定手段は、暖房循環路温度検出手段による検出温度がタンク温度検出手段による検出温度から所定温度減算した減算温度よりも高い場合、正常接続状態であると判定し、報知するので、補助熱源と貯留タンクとの正常接続を確実に判定し、報知することができる。
【００１２】
また、前記暖房循環路温度検出手段は、前記暖房循環路と前記貯留タンクの上部との接続部よりも低い位置に設けられていることが好ましい。
【００１３】
この構成によれば、貯留タンクの上部から暖房循環路を介した伝熱による暖房循環路温度検出手段への影響を、暖房循環路温度検出手段を暖房循環路と貯留タンクの上部との接続部よりも高い位置に設けたものに比べて軽減することができる。
【００１４】
さらに、前記正常接続判定手段は、前記暖房循環路温度検出手段による検出温度が前記減算温度よりも高い時間が所定時間継続した場合に、前記正常接続状態であると判定し、報知することが好ましい。
【００１５】
この構成によれば、正常接続判定手段は、暖房循環路温度検出手段による検出温度が上記減算温度よりも高い時間が所定時間継続した場合に、正常接続状態であると判定するので、暖房循環路温度検出手段による検出温度が上記減算温度よりも高くなった場合に直ぐに正常接続状態であると判定され、報知されることがない。このため、正常接続ではなく、突発的な環境や状況の変化等により暖房循環路温度検出手段による検出温度が上記減算温度よりも高い場合に、正常接続状態であると判定され、報知されることを防止することができる。
【００１６】
また、前記所定時間は、前記貯留タンクの上部から前記タンク温度検出手段までの前記貯留タンクの容量と、前記熱媒の流量に基づいて決定されることが好ましい。
【００１７】
この構成によれば、所定時間を、貯留タンクの上部からタンク温度検出手段までの貯留タンクの容量と、熱媒の流量に基づいて決定することによって、正常接続状態の判定に要する時間を必要最小限とすることができる。
【図面の簡単な説明】
【００１８】
【図１】本実施形態の暖房装置のシステム構成図。
【図２】凍結防止制御での制御内容を示す図。
【図３】貯留タンクと燃焼式熱源機ユニットとの接続状態を判定する処理の流れを示すフローチャート。
【図４】貯留タンクと燃焼式熱源機ユニットとが誤接続された状態の暖房装置のシステム構成図。
【発明を実施するための形態】
【００１９】
図１に示すように、本実施形態の暖房装置１は、暖房用の熱媒としての温かい不凍液（以下、温液と称する）を貯留する貯留タンク１１が搭載された貯留タンクユニット２と、温液加熱用のヒートポンプ３１が搭載されたヒートポンプユニット３と、温液加熱用の補助熱源機としての燃焼式熱源機４１が搭載された燃焼式熱源機ユニット４と、１つ以上の暖房端末機を含む暖房端末ユニット５とを備える。
【００２０】
貯留タンク１１には、貯留タンク１１内の温液を外部のヒートポンプ３１の凝縮機３５（詳細は後述する）を経由して循環させるための蓄熱用温液循環往路１２ａ及び蓄熱用温液循環復路１２ｂと、貯留タンク１１内の温液を燃焼式熱源機ユニット４及び暖房端末ユニット５を経由して循環させるための上流側暖房用温液循環往路１３ａ及び下流側暖房用温液循環復路１３ｄとが接続されている。
【００２１】
上流側暖房用温液循環往路１３ａには、下流側暖房用温液循環往路１３ｂが接続され、下流側暖房用温液循環復路１３ｄには、上流側暖房用温液循環復路１３ｃが接続されている。これらの接続は、暖房装置１の設置後に設置業者による手作業で行われる。
【００２２】
また、貯留タンク１１には、その高さ方向（上下方向）に間隔を存する複数（図示例では３つ）の高さ位置に、各高さ位置での貯留タンク１１内の温液の温度を検出する温度センサ１４ａ，１４ｂ，１４ｃ（タンク温度検出手段）が装着されている。
【００２３】
蓄熱用温液循環往路１２ａは、貯留タンク１１からヒートポンプ３１の凝縮機３５に温液を送る。蓄熱用温液循環復路１２ｂは、後述する凝縮機３５から貯留タンク１１に温液を環流させる。
【００２４】
蓄熱用温液循環往路１２ａは、その上流端が貯留タンク１１の下部に接続され、下流端が凝縮機３５に接続されている。そして、蓄熱用温液循環往路１２ａには、逆止弁１５と、貯留タンク１１から流出する温液の温度を蓄熱用温液循環往路１２ａの上流部で検出する温度センサ１６と、手動式の開閉弁１７と、蓄熱用温液循環往路１２ａの上流側から下流側に向う温液の流れを発生させる蓄熱用循環ポンプ１８と、ヒートポンプ３１の凝縮機３５に流入する温液の温度を蓄熱用温液循環往路１２ａの下流部で検出する温度センサ１９とが装着されている。
【００２５】
この場合、本実施形態の例では、逆止弁１５及び温度センサ１６は貯留タンクユニット２内に配置され、蓄熱用循環ポンプ１８及び温度センサ１９はヒートポンプユニット３内に配置され、開閉弁１７は貯留タンクユニット２とヒートポンプユニット３との間に配置されている。
【００２６】
蓄熱用温液循環復路１２ｂは、その上流端がヒートポンプ３１の凝縮機３５に接続され、下流端が貯留タンク１１の上部に接続されている。そして、蓄熱用温液循環復路１２ｂには、凝縮機３５から流出する温液の温度を蓄熱用温液循環復路１２ｂの上流部で検出する温度センサ２０と、手動式の開閉弁２１と、貯留タンク１１に流入する温液の温度を蓄熱用温液循環復路１２ｂの下流部で検出する温度センサ２２とが装着されている。
【００２７】
この場合、本実施形態の例では、温度センサ２０はヒートポンプユニット３内に配置され、温度センサ２２は貯留タンクユニット２内に配置され、開閉弁２１は貯留タンクユニット２とヒートポンプユニット３との間に配置されている。
【００２８】
上流側暖房用温液循環往路１３ａ及び下流側暖房用温液循環往路１３ｂは、貯留タンク１１から暖房端末ユニット５に温液を送る。上流側暖房用温液循環復路１３ｃ及び下流側暖房用温液循環復路１３ｄは、暖房端末ユニット５から貯留タンク１１に温液を環流させる。
【００２９】
上流側暖房用温液循環往路１３ａは、燃焼式熱源機４１による加熱箇所よりも上流側の循環路であり、その上流端が前記蓄熱用温液循環復路１２ｂの下流端部に合流されている。従って、上流側暖房用温液循環往路１３ａの上流端は、蓄熱用温液循環復路１２ｂの下流端部を介して貯留タンク１１の上部に接続されている。
【００３０】
下流側暖房用温液循環復路１３ｄは、その下流端が貯留タンク１１の下部に接続されている。また、下流側暖房用温液循環復路１３ｄの下流部には、貯留タンクユニット２内に設置された分配弁２３が装着されている。
【００３１】
さらに、下流側暖房用温液循環復路１３ｄの下流部と、上流側暖房用温液循環往路１３ａの上流部とを、貯留タンク１１内を経由させずに、分配弁２３を介して連通させるバイパス流路２４が設けられている。
【００３２】
分配弁２３は、本実施形態では、２つの出口ポートを有しており、入口ポートから流入した温液のうち、２つの出口ポートの一方の出口ポートから流出させる温液の流量と、他方の出口ポートから流出させる温液の流量との割合を可変的に制御可能な弁である。
【００３３】
そして、分配弁２３は、その入口ポートが下流側暖房用温液循環復路１３ｄの上流側に連通し、一方の出口ポートが下流側暖房用温液循環復路１３ｄの下流側に連通するように、該下流側暖房用温液循環復路１３ｄに介装されると共に、他方の出口ポートが、バイパス流路２４を介して上流側暖房用温液循環往路１３ａに連通するように該バイパス流路２４に接続されている。
【００３４】
従って、貯留タンクユニット２に設けられた、後述するタンク制御部７２により分配弁２３を制御することで、上流側暖房用温液循環復路１３ｃ及び下流側暖房用温液循環復路１３ｄで貯留タンクユニット２に戻ってきた温液の一部又は全部を、分配弁２３から貯留タンク１１を経由させずに（バイパス流路２４を経由させて）、上流側暖房用温液循環往路１３ａに環流させることが可能となっている。
【００３５】
なお、分配弁２３は、バイパス流路２４と上流側暖房用温液循環往路１３ａとの接続箇所に介装されていてもよい。
【００３６】
以降の説明では、分配弁２３の入口ポートに流入する温液の全部が、下流側暖房用温液循環復路１３ｄの下流側に連通する一方の出口ポートから流出する動作状態（バイパス流路２４側の出口ポートが全閉、貯留タンク１１側の出口ポートが全開になる動作状態）を、分配弁２３のバイパスＯＦＦ状態、分配弁２３の入口ポートに流入する温液の全部が、バイパス流路２４に連通する他方の出口ポートから流出する動作状態（バイパス流路２４側の出口ポートが全開、貯留タンク１１側の出口ポートが全閉になる動作状態）を分配弁２３のバイパスＯＮ状態、分配弁２３の入口ポートに流入する温液の一部が両方の出口ポートのそれぞれから流出する状態を分配弁２３のバイパス中間状態という。
【００３７】
また、上流側暖房用温液循環往路１３ａには、貯留タンクユニット２内で２つの温度センサ２５，２６（暖房循環路温度検出手段）が装着され、下流側暖房用温液循環復路１３ｄには、貯留タンクユニット２内で１つの温度センサ２７が装着されている。
【００３８】
温度センサ２５は、貯留タンク１１（又は蓄熱用温液循環復路１２ｂ）から上流側暖房用温液循環往路１３ａに流入する温液の温度を検出するセンサであり、上流側暖房用温液循環往路１３ａのうち、バイパス流路２４の合流箇所よりも上流側の部分に装着されている。
【００３９】
温度センサ２６は、貯留タンクユニット２から暖房端末ユニット５側に送出される温液の温度を検出するセンサであり、上流側暖房用温液循環往路１３ａのうち、バイパス流路２４の合流箇所よりも下流側の部分に装着されている。この温度センサ２６の検出温度は、分配弁２３のバイパスＯＦＦ状態では、温度センサ２５の検出温度に一致もしくはほぼ一致する。
【００４０】
一方、分配弁２３のバイパスＯＮ状態又はバイパス中間状態では、温度センサ２６の検出温度は、貯留タンク１１（又は蓄熱用温液循環復路１２ｂ）から上流側暖房用温液循環往路１３ａに流入する温液に、貯留タンクユニット２に暖房端末ユニット５側から戻ってきた温液の全部又は一部を混合させた後の温液の温度（温度センサ２５の検出温度よりも低い温度）となる。
【００４１】
下流側暖房用温液循環復路１３ｄに装着された温度センサ２７は、貯留タンクユニット２に暖房端末ユニット５側から戻ってきた温液の温度を検出するセンサであり、下流側暖房用温液循環復路１３ｄのうち、分配弁２３の上流側の部分に装着されている。
【００４２】
ヒートポンプユニット３は、屋外に設置されるユニットである。このヒートポンプユニット３に搭載されたヒートポンプ３１は、貯留タンクユニット２の貯留タンク１１内の温液を加熱するための熱源機である。
【００４３】
ヒートポンプ３１は、公知の構造のものであり、ハイドロフルオロカーボン（ＨＦＣ）等の代替フロン、あるいは、二酸化炭素等の冷媒を循環させる冷媒循環流路３２と、この冷媒循環流路３２に装着された蒸発器３３、圧縮機３４、凝縮機３５、及び膨張機構３６と、蒸発器３３に外気（空気）を供給する回転ファン３７とを有する。
【００４４】
蒸発器３３は、冷媒循環流路３２を流れる冷媒と、回転ファン３７の回転により供給される外気（空気）との熱交換を行なう。
【００４５】
圧縮機３４は、蒸発器３３から供給される冷媒を圧縮することで、高温・高圧の冷媒を生成する。
【００４６】
凝縮機３５には、前記したように蓄熱用温液循環往路１２ａの下流端と蓄熱用温液循環復路１２ｂの上流端とが接続されている。
【００４７】
そして、凝縮機３５は、圧縮機３４から供給される高温・高圧の冷媒と、蓄熱用循環ポンプ１８の作動によって蓄熱用温液循環往路１２ａを介して貯留タンク１１から供給される温液との熱交換を行なうことで、該温液を加熱し、加熱した温液を蓄熱用温液循環復路１２ｂを介して貯留タンク１１に環流させる。
【００４８】
膨張機構３６は、膨張弁等により構成され、凝縮機３５から供給される放熱後の冷媒を断熱膨張させることでさらに冷却し、その冷却後の冷媒を蒸発器３３に送出する。
【００４９】
以上の蒸発器３３、圧縮機３４、凝縮機３５、及び膨張機構３６の作動により、凝縮機３５に貯留タンク１１から供給される温液が熱交換されて加熱され、その加熱後の温液が貯留タンク１１に戻される。これにより、貯留タンク１１内の温液が加熱されて、該温液の蓄熱がなされる。
【００５０】
暖房端末ユニット５は、本実施形態では、運転に必要な温液温度が比較的高い高温側暖房端末機５Ｈと、運転に必要な温液温度が高温側暖房端末機５Ｈよりも低い低温側暖房端末機５Ｌとを備える。
【００５１】
高温側暖房端末機５Ｈは、例えば浴室暖房装置等であり、該高温側暖房端末機５Ｈで要求される温液温度は、例えば８０°Ｃ程度である。また、低温側暖房端末機５Ｌは、例えば床暖房装置等であり、該低温側暖房端末機５Ｌで要求される温液温度は、例えば６０°Ｃ程度である。
【００５２】
これらの高温側暖房端末機５Ｈ及び低温側暖房端末機５Ｌは、燃焼式熱源機ユニット４から温液が供給されるように、それぞれ、後述する温液流路４２Ｈ，４２Ｌに接続されている。さらに、高温側暖房端末機５Ｈ及び低温側暖房端末機５Ｌは、それぞれで放熱した温液を、貯留タンクユニット２に環流させるように、前記上流側暖房用温液循環復路１３ｃの上流端に並列に接続されている。
【００５３】
なお、高温側暖房端末機５Ｈ及び低温側暖房端末機５Ｌのそれぞれの運転停止状態では、燃焼式熱源機ユニット４からの温液の流入が図示しない弁により遮断されるようになっている。
【００５４】
図１では、高温側暖房端末機５Ｈと低温側暖房端末機５Ｌとを、それぞれ１つずつ代表的に記載したが、高温側暖房端末機５Ｈと低温側暖房端末機５Ｌとのうちの一方だけが、暖房装置１に備えられていてもよい。
【００５５】
また、高温側暖房端末機５Ｈ又は低温側暖房端末機５Ｌが、暖房装置１に複数台備えられていてもよい。複数台の高温側暖房端末機５Ｈは、上流側の後述する温液流路４２Ｈに並列に接続される。同様に、複数台の低温側暖房端末機５Ｌは、上流側の後述する低温側暖房用温液流路４２Ｌに並列に接続される。
【００５６】
燃焼式熱源機ユニット４は、燃焼式熱源機４１と、上流側暖房用温液循環往路１３ａ及び下流側暖房用温液循環往路１３ｂで送られてきた温液を必要に応じて燃焼式熱源機４１により加熱して、暖房端末ユニット５に供給するための流路であり、下流側暖房用温液循環往路１３ｂの下流側に連続する暖房用温液流路４２とを備える。本実施形態では、上流側暖房用温液循環往路１３ａ、下流側暖房用温液循環往路１３ｂ、上流側暖房用温液循環復路１３ｃ及び下流側暖房用温液循環復路１３ｄと、暖房用温液流路４２とにより、本発明の暖房循環路が構成される。
【００５７】
燃焼式熱源機４１は、燃料を燃焼させるバーナ４４と、バーナ４４の燃焼運転によって発生する熱により温液を加熱する主熱交換器４５及び補助熱交換器４６とを備える。
【００５８】
バーナ４４で燃焼させる燃料は、例えば都市ガス、ＬＰガス等の燃料ガスである。バーナ４４の燃焼運転時には、図示を省略する電磁開閉弁や比例弁等を備える燃料供給機構を介して燃料ガスがバーナ４４に供給される。また、燃焼用空気が図示しないファンによりバーナ４４に供給される。そして、バーナ４４に供給された燃料ガスに、図示しないイグナイタ等の点火器により点火することで、バーナ４４の燃焼運転が行われる。
【００５９】
なお、バーナ４４の燃焼運転に係わる燃料供給機構等の構成は、公知のものでよい。また、バーナ４４は、燃料ガスに限らず、灯油等の液体燃料を燃焼させるものであってもよい。
【００６０】
主熱交換器４５は、バーナ４４の燃焼排気から顕熱を吸熱し、その顕熱により温液を加熱する顕熱吸熱型の熱交換器である。また、補助熱交換器４６は、主熱交換器４５を通過した燃焼排気中の水蒸気が凝縮する際の潜熱を吸熱し、その潜熱により温液を加熱する潜熱吸熱型の補助的な熱交換器である。
【００６１】
なお、燃焼式熱源機４１は、主熱交換器４５及び補助熱交換器４６のうちの主熱交換器４５だけを備えるものであってもよい。
【００６２】
暖房用温液流路４２は、その上流端が下流側暖房用温液循環往路１３ｂの下流端に連通され、該下流側暖房用温液循環往路１３ｂを流れてきた温液が流入するようになっている。
【００６３】
なお、暖房用温液流路４２の上流端は、高温の温液の体積増加分を吸収する膨張タンク（図示せず）にも接続されている。
【００６４】
暖房用温液流路４２は、燃焼式熱源機ユニット４内で、燃焼式熱源機４１の補助熱交換器４６を経由するように構成され、さらに、該補助熱交換器４６の下流側で、高温側暖房用温液流路４２Ｈと、低温側暖房用温液流路４２Ｌとに分流されている。
【００６５】
高温側暖房用温液流路４２Ｈは、暖房端末ユニット５の高温側暖房端末機５Ｈに温液を供給するための温液流路である。この高温側暖房用温液流路４２Ｈは、燃焼式熱源機４１の主熱交換器４５を経由するように流路され、その下流端に高温側暖房端末機５Ｈが接続される。
【００６６】
低温側暖房用温液流路４２Ｌは、暖房端末ユニット５の低温側暖房端末機５Ｌに温液を供給するための温液流路である。この低温側暖房用温液流路４２Ｌは、その下流端に低温側暖房端末機５Ｌが接続される。
【００６７】
暖房用温液流路４２には、暖房用温液流路４２の上流側から下流側に向う温液の流れを発生させる暖房循環ポンプ５１が、暖房用温液流路４２の高温側暖房用温液流路４２Ｈ及び低温側暖房用温液流路４２Ｌへの分流箇所よりも上流側に装着されている。
【００６８】
また、高温側暖房用温液流路４２Ｈには、その上流側の基幹の暖房用温液流路４２から該高温側暖房用温液流路４２Ｈに流入する温液の温度を検出する温度センサ５４と、主熱交換器４５から流出する温液の温度を検出する温度センサ５５とが装着されている。
【００６９】
本実施形態の例では、温度センサ５４は、高温側暖房用温液流路４２Ｈの上流端近傍の位置に配置され、温度センサ５５は、主熱交換器４５の近くで該主熱交換器４５の下流側に配置されている。
【００７０】
なお、温度センサ５４が検出する温度は、換言すれば、低温側暖房端末機５Ｌに供給される温液の温度であり、温度センサ５５が検出する温度は、換言すれば、高温側暖房端末機５Ｈに供給される温液の温度である。
【００７１】
低温側暖房用温液流路４２Ｌには、凍結防止用流路６１の上流側の端部が接続されている。この凍結防止用流路６１は、ヒートポンプ３１の凍結を防止するために、ヒートポンプ３１に温液を送るためのものであり、下流側の端部は蓄熱用温液循環往路１２ａに接続されている。
【００７２】
凍結防止用流路６１には、開閉弁６２が装着されている。この開閉弁６２は、開閉弁制御部６３により制御される。
【００７３】
本実施形態の暖房装置１では、貯留タンクユニット２にはタンク制御部７２が、ヒートポンプユニット３にはポンプ制御部７３が、燃焼式熱源機ユニット４には燃焼制御部７４が、それぞれが搭載されている。
【００７４】
各制御部７２〜７４は、詳細な図示は省略するが、制御回路部と、電源回路部とを含んでいる。それぞれの制御回路部は、ＣＰＵ、ＲＡＭ、ＲＯＭ等により構成される回路部であり、相互に通信可能とされている。
【００７５】
そして、貯留タンクユニット２のタンク制御部７２の制御回路部は、貯留タンクユニット２に備えられた温度センサ１４ａ，１４ｂ，１４ｃ，１６，２２，２５，２６，２７の検出データ、あるいは、ヒートポンプユニット３もしくは燃焼式熱源機ユニット４の制御回路部から与えられた通信データ等に基づいて、プログラム処理を実行することで、分配弁２３の作動を制御する。
【００７６】
また、ヒートポンプユニット３のポンプ制御部７３の制御回路部は、ヒートポンプユニット３に備えられた温度センサ１９，２０の検出データ、あるいは、貯留タンクユニット２もしくは燃焼式熱源機ユニット４の制御回路部から与えられた通信データ等に基づいて、プログラム処理を実行することで、蓄熱用循環ポンプ１８、回転ファン３７、圧縮機３４等の作動を制御する。
【００７７】
また、ヒートポンプユニット３には、外気温を検出する外気温センサ（図示せず）が設けられ、この外気温センサで検出された外気温データは、ポンプ制御部７３の制御回路部に送られる。
【００７８】
燃焼式熱源機ユニット４の燃焼制御部７４の制御回路部は、燃焼式熱源機ユニット４に備えられた温度センサ５４，５５の検出データ、あるいは、図示しないリモコンから与えられる指示データ（暖房運転を行うための指示データ）、あるいは、貯留タンクユニット２もしくはヒートポンプユニット３の制御回路部から与えられた通信データ等に基づいて、プログラム処理を実行することで、燃焼式熱源機４１や暖房循環ポンプ５１等の作動を制御する。
【００７９】
なお、各制御部７２〜７４の制御回路部は、１つの回路基板により構成されていてもよい。
【００８０】
各制御部７２〜７４の電源回路部は、それぞれ、貯留タンクユニット２の各アクチュエータ（分配弁２３等）、ヒートポンプユニット３の各電子機器（蓄熱用循環ポンプ１８、圧縮機３４、回転ファン３７等）、燃焼式熱源機ユニット４の各アクチュエータ（暖房循環ポンプ５１等）に電力を供給する回路部である。
【００８１】
この場合、本実施形態の暖房装置１では、貯留タンクユニット２のタンク制御部７２の電源回路部と、ヒートポンプユニット３のポンプ制御部７３の電源回路部とに、運転用の電源電力として、融雪電力が供給されるようになっている。
【００８２】
また、本実施形態では、貯留タンクユニット２のタンク制御部７２の電源回路部に供給される融雪電力の一部は、貯留タンクユニット２の分配弁２３等の電装品の動作用の電源電力として利用される。
【００８３】
また、燃焼式熱源機ユニット４の燃焼制御部７４の電源回路部には、通常の家庭用電力又は商用電力（以下、通常電力と称する）が供給される。
【００８４】
次に、本実施形態の暖房装置１の作動を説明する。
【００８５】
貯留タンクユニット２のタンク制御部７２及びヒートポンプユニット３のポンプ制御部７３に融雪電力が供給されている状態で、ポンプ制御部７３の制御回路部の制御処理によって、蓄熱用循環ポンプ１８及びヒートポンプ３１の運転が行われる。
【００８６】
これにより、貯留タンク１１内の温液が蓄熱用温液循環往路１２ａ及び蓄熱用温液循環復路１２ｂで凝縮機３５を経由して循環しつつ所定の温度（例えば８０°Ｃ程度）に加熱され、貯留タンク１１内の温液の蓄熱が行なわれる。
【００８７】
一方、リモコンによって高温側暖房端末機５Ｈ又は低温側暖房端末機５Ｌの暖房運転を行なうことが指示された場合には、貯留タンクユニット２のタンク制御部７２及び燃焼式熱源機ユニット４の燃焼制御部７４の一方の制御回路部の制御処理、又は両方の制御回路部の協働の制御処理によって、暖房運転が行われる。燃焼制御部７４の制御回路部は、燃焼式熱源機４１や暖房循環ポンプ５１を作動させている場合には、その旨を示す燃焼作動データを、開閉弁制御部６３に送信する。
【００８８】
ヒートポンプ３１が運転可能である場合の暖房運転は、具体的には、次のように行なわれる。
【００８９】
まず、暖房端末ユニット５に供給すべき温液（暖房用媒体）の目標温度である暖房設定温度が設定される。本実施形態では、暖房運転を行うことが指示されている暖房端末機５Ｈ，５Ｌの中で暖房要求温度（暖房運転のために必要な温液の温度）が最も高い暖房端末機の暖房要求温度が暖房設定温度として設定される。
【００９０】
従って、例えば暖房要求温度が８０°Ｃである浴室暖房装置等の高温側暖房端末機５Ｈと、暖房要求温度が６０°Ｃである床暖房装置等の低温側暖房端末機５Ｌとの両方の暖房運転を行なうことが指示されている場合、あるいは、高温側暖房端末機５Ｈだけの暖房運転を行うことが指示されている場合には、暖房設定温度は、８０°Ｃに設定される。
【００９１】
また、例えば、低温側暖房端末機５Ｌだけの暖房運転を行うことが指示されている場合には、暖房設定温度は、６０°Ｃに設定される。
【００９２】
なお、暖房端末機５Ｈ，５Ｌの運転の優先順位が、別途、ユーザ等により指定されているような場合には、最優先の暖房端末機の暖房要求温度を、暖房設定温度として設定するようにしてもよい。その場合、高温側暖房端末機５Ｈと低温側暖房端末機５Ｌとの両方の暖房運転を行なうことが指示されている場合であっても、低温側暖房端末機５Ｌ用の暖房要求温度（６０°Ｃ）を暖房設定温度として設定するようにしてもよい。
【００９３】
このように暖房設定温度を設定した状態で、燃焼式熱源機ユニット４の暖房循環ポンプ５１が作動され、各暖房用温液循環往路１３ａ，１３ｂ及び各暖房用温液循環復路１３ｃ，１３ｄでの温液の流通が行なわれる。また、分配弁２３はバイパスＯＦＦ状態又はバイパス中間状態に維持される。
【００９４】
貯留タンクユニット２から燃焼式熱源機ユニット４に供給される温液は、下流側暖房用温液循環往路１３ｂから燃焼式熱源機ユニット４の基幹の暖房用温液流路４２に流入する。そして、高温側暖房端末機５Ｈの運転時には、基幹の暖房用温液流路４２から高温側暖房用温液流路４２Ｈを経由して、高温側暖房端末機５Ｈに温液が供給される。また、低温側暖房端末機５Ｌの運転時には、基幹の暖房用温液流路４２から低温側暖房用温液流路４２Ｌを経由して、低温側暖房端末機５Ｌに温液が供給される。
【００９５】
なお、高温側暖房端末機５Ｈ及び低温側暖房端末機５Ｌの両方の運転時には、基幹の暖房用温液流路４２から高温側暖房用温液流路４２Ｈ及び低温側暖房用温液流路４２Ｌをそれぞれ経由して、高温側暖房端末機５Ｈ及び低温側暖房端末機５Ｌの両方に温液が供給される。
【００９６】
このとき、燃焼式熱源機ユニット４においては、暖房用温液流路４２から暖房端末ユニット５側に供給される温液の温度（温度センサ５４，５５の検出温度）が、暖房設定温度に既定の許容範囲内でほぼ一致する場合には、燃焼式熱源機４１は、運転停止状態（バーナ４４の燃焼運転を行なわない状態）に維持される。
【００９７】
一方、暖房用温液流路４２から暖房端末ユニット５側に供給される温液の温度（温度センサ５４，５５の検出温度）が、既定の許容範囲を逸脱して暖房設定温度よりも低い場合には、高温側暖房用温液流路４２Ｈで高温側暖房端末機５Ｈに供給される温液の温度（温度センサ５５の検出温度）又は低温側暖房用温液流路４２Ｌで低温側暖房端末機５Ｌに供給される温液の温度（温度センサ５４の検出温度）が、既定の許容範囲内で暖房設定温度にほぼ一致するように、燃焼式熱源機４１のバーナ４４の燃焼運転が行われる。
【００９８】
この場合、高温側暖房端末機５Ｈだけの暖房運転時、又は高温側暖房端末機５Ｈと低温側暖房端末機５Ｌとの両方の運転時には、温度センサ５５の検出温度が、既定の許容範囲内で暖房設定温度にほぼ一致するようにバーナ４４の燃焼量が制御される。また、低温側暖房端末機５Ｌだけの暖房運転時には、温度センサ５４の検出温度が、既定の許容範囲内で暖房設定温度にほぼ一致するようにバーナ４４の燃焼量が制御される。
【００９９】
以上のようにして、貯留タンクユニット２側から供給される温液をバーナ４４の燃焼運転によって加熱せずとも、暖房設定温度に一致もしくはほぼ一致する温液を暖房運転を行なう暖房端末機５Ｈ，５Ｌに供給できる状況では、貯留タンクユニット２側から供給される温液がそのまま、暖房端末機５Ｈ，５Ｌのうちの暖房運転を行う暖房端末機に供給される。
【０１００】
また、貯留タンクユニット２側から供給される温液の温度が、暖房設定温度に対して既定の許容範囲よりも低い場合には、燃焼式熱源機４１のバーナ４４の燃焼運転によって、不足分の熱量が当該温液に付加される。そして、このように不足分の熱量が付加されて暖房設定温度に一致もしくはほぼ一致する温度に昇温された温液が、暖房端末機５Ｈ，５Ｌのうちの暖房運転を行う暖房端末機に供給される。
【０１０１】
そして、このように暖房端末機５Ｈ，５Ｌの一方又は両方に供給された温液は、該暖房端末機５Ｈ，５Ｌから、各暖房用温液循環復路１３ｃ，１３ｄ及びバイパス流路２４又は貯留タンク１１を介して、上流側暖房用温液循環往路１３ａに環流される。
【０１０２】
以上が、ヒートポンプ３１が運転可能である場合の暖房運転の作動である。
【０１０３】
次に、ヒートポンプ３１が運転不能である状態（融雪電力の供給停止期間）での暖房運転は、次のように行なわれる。
【０１０４】
まず、暖房設定温度が、ヒートポンプ３１が運転可能である場合の暖房運転の場合と同様に設定される。
【０１０５】
また、分配弁２３が前記バイパスＯＮ状態（分配弁２３のバイパス流路２４側の出口ポートを全開、貯留タンク１１側の出口ポートを全閉にした状態）に維持される。すなわち、下流側暖房用温液循環復路１３ｄを介して貯留タンクユニット２に戻ってくる温液の全量が、貯留タンク１１を経由することなく、分配弁２３からバイパス流路２４を通って上流側暖房用温液循環往路１３ａに環流するように分配弁２３が制御される。
【０１０６】
ここで、本実施形態では、分配弁２３の動作用の電源電力として融雪電力を使用するので、融雪電力の提供が中断した状態では、分配弁２３を作動させることができなくなる。しかるに、本実施形態では、融雪電力の供給停止によってヒートポンプ３１の運転を行なうことができなくなる場合にあっては、その供給停止が実際に開始する時刻の前に、融雪電力の提供が行なわれている状態で、分配弁２３をバイパスＯＮ状態に制御する。
【０１０７】
なお、分配弁２３がバイパスＯＮ状態に制御された後は、融雪電力の提供が中断しても、分配弁２３は、バイパスＯＮ状態に維持される。
【０１０８】
上記のように分配弁２３をバイパスＯＮ状態に制御した状態で、暖房循環ポンプ５１が作動され、上流側暖房用温液循環往路１３ａ、下流側暖房用温液循環往路１３ｂ、上流側暖房用温液循環復路１３ｃ及び下流側暖房用温液循環復路１３ｄ（バイパス流路２４よりも貯留タンク１１側の流路を除く）とバイパス流路２４での温液の流通が行なわれる。
【０１０９】
そして、上流側暖房用温液循環往路１３ａ及び下流側暖房用温液循環往路１３ｂで燃焼式熱源機ユニット４に供給される温液は、ヒートポンプ３１が運転可能である場合の暖房運転と同様に、下流側暖房用温液循環往路１３ｂから燃焼式熱源機ユニット４の基幹の暖房用温液流路４２に流入し、さらに、高温側暖房用温液流路４２Ｈ及び低温側暖房用温液流路４２Ｌの一方又は両方を経由して、暖房端末機５Ｈ，５Ｌの一方又は両方に供給される。
【０１１０】
このとき、燃焼式熱源機ユニット４においては、高温側暖房用温液流路４２Ｈで高温側暖房端末機５Ｈに供給される温液の温度（温度センサ５５の検出温度）又は低温側暖房用温液流路４２Ｌで低温側暖房端末機５Ｌに供給される温液の温度（温度センサ５４の検出温度）が、既定の許容範囲内で暖房設定温度にほぼ一致するように、燃焼式熱源機４１のバーナ４４の燃焼運転が行われる。
【０１１１】
この場合、高温側暖房端末機５Ｈだけの暖房運転時、又は高温側暖房端末機５Ｈと低温側暖房端末機５Ｌとの両方の運転時には、温度センサ５５の検出温度が、既定の許容範囲内で暖房設定温度にほぼ一致するようにバーナ４４の燃焼量が制御される。また、低温側暖房端末機５Ｌだけの暖房運転時には、温度センサ５４の検出温度が、既定の許容範囲内で暖房設定温度にほぼ一致するようにバーナ４４の燃焼量が制御される。
【０１１２】
このように、ヒートポンプ３１が運転不能である状態（融雪電力の供給停止期間）での暖房運転では、分配弁２３をバイパスＯＮ状態に制御した状態で、暖房端末ユニット５に供給される温液の温調制御が燃焼式熱源機４１のバーナ４４の燃焼運転の制御により行われる。
【０１１３】
以上が、ヒートポンプ３１が運転不能である状態（融雪電力の供給停止期間）での暖房運転の作動である。
【０１１４】
ヒートポンプ３１が運転不能である状態では、貯留タンク１１内の温液をヒートポンプ３１により適切に加熱することができないので、該貯留タンク１１内の温液が、自然放熱等によって、やがて暖房設定温度よりも低い温度に低下してしまう。
【０１１５】
このような状況で、仮に、暖房運転のための温液を貯留タンク１１を経由させて循環させると、暖房端末ユニット５から貯留タンクユニット２に戻って来る温液が、貯留タンク１１での冷えた温液との熱交換によって無駄に放熱することとなって、該温液の熱損失が増加してしまう。
【０１１６】
しかるに、本実施形態では、貯留タンク１１内の温液が冷えた状況では、暖房端末ユニット５から貯留タンクユニット２に戻って来る温液が、貯留タンク１１を経由することなく、バイパス流路２４を経由して流れた後、燃焼式熱源機ユニット４側に供給される。
【０１１７】
このため、燃焼式熱源機ユニット４及び暖房端末ユニット５を経由して循環する温液が貯留タンクユニット２で放熱することを最小限に留めて、該貯留タンクユニット２での温液の熱損失を低減できる。ひいては、燃焼式熱源機ユニット４のバーナ４４の燃焼量を抑制することができる。
【０１１８】
次に、ヒートポンプ３１の凍結防止制御について説明する。
【０１１９】
貯留タンクユニット２及びヒートポンプユニット３に供給される融雪電力は、一般に、一日のうちの一定時間（例えば、２時間）は、供給が停止される。その状態では、ヒートポンプ３１の運転は停止される。
【０１２０】
ポンプ制御部７３の制御回路部は、融雪電力が一日のうちのどの時間帯で供給され、どの時間帯で供給が停止されるかを示す供給スケジュールを示すデータを図示しないメモリにあらかじめ保持している。ポンプ制御部７３の制御回路部は、時計部（図示せず）での現在時刻が、融雪電力の供給スケジュールにおいて、融雪電力の供給停止時間であり、ヒートポンプ３１の運転を停止した場合には、その旨を示す融雪電力供給停止データを、開閉弁制御部６３に送信する。なお、分配弁２３は、供給停止が実際に開始する時刻の前に、融雪電力の提供が行なわれている状態でバイパスＯＮ状態に制御され、融雪電力の提供が停止してもバイパスＯＮ状態に維持される。
【０１２１】
開閉弁制御部６３は、融雪電力供給停止データを受信していない場合には、開閉弁６２を閉状態となるように制御する。そして、開閉弁制御部６３は、融雪電力供給停止データを受信した場合には、開閉弁６２を開状態に制御し、低温側暖房用温液流路４２Ｌからの温液を、凍結防止用流路６１の開閉弁６２よりも下流側に送り、蓄熱用温液循環往路１２ａを通してヒートポンプ３１に送る（凍結防止制御）。ヒートポンプ３１に送られた温液は、ヒートポンプ３１を通って蓄熱用温液循環復路１２ｂに送られる。
【０１２２】
ヒートポンプ３１の凍結防止制御では、図２に示すように、融雪電力の供給が停止される直前の温度センサ１９の検出温度、及び外気温センサの検出温度のうちの低い温度（以下、ＨＰ温度）に基づいて制御を行う。この凍結防止制御は、温度センサ１９での検出温度が−１０°Ｃ未満（不凍液である温液が凍る温度）にならないような制御を行う。
【０１２３】
燃焼式熱源機４１や暖房循環ポンプ５１が作動停止された状態（以下、暖房運転停止状態）で、ＨＰ温度＞−６°Ｃである場合には、融雪電力供給停止期間（２時間）中に、開閉弁６２を常時閉状態にして、暖房循環ポンプ５１を常時オフにする制御を行う。
【０１２４】
暖房運転停止状態で、−９°Ｃ＜ＨＰ温度≦−６°Ｃである場合には、融雪電力供給停止期間中に、開閉弁６２を１０分間開状態にした後に２０分間閉状態にする制御を１セットとして、これを繰り返し、開閉弁６２の開閉に合わせて、暖房循環ポンプ５１を１０分間オンした後に２０分間オフにする制御を１セットとして、これを繰り返す制御を行う。
【０１２５】
暖房運転停止状態で、−１２°Ｃ＜ＨＰ温度≦−９°Ｃである場合には、融雪電力供給停止期間中に、開閉弁６２を１０分間開状態にした後に１０分間閉状態にする制御を１セットとして、これを繰り返し、開閉弁６２の開閉に合わせて、暖房循環ポンプ５１を１０分間オンした後に１０分間オフにする制御を１セットとして、これを繰り返す制御を行う。
【０１２６】
暖房運転停止状態で、−１６°Ｃ＜ＨＰ温度≦−１２°Ｃである場合には、融雪電力供給停止期間中に、開閉弁６２を１０分間開状態にした後に３分間閉状態にする制御を１セットとして、これを繰り返し、開閉弁６２の開閉に合わせて、暖房循環ポンプ５１を１０分間オンした後に３分間オフにする制御を１セットとして、これを繰り返す制御を行う。
【０１２７】
暖房運転停止状態で、ＨＰ温度≦−１６°Ｃである場合には、融雪電力供給停止期間中に、開閉弁６２を常時開状態にし、暖房循環ポンプ５１を常時オンにする制御を行う。
【０１２８】
燃焼式熱源機４１や暖房循環ポンプ５１が作動された状態（以下、暖房運転状態）で、ＨＰ温度＞−６°Ｃである場合には、融雪電力供給停止期間中に、開閉弁６２を常時閉状態にする制御を行う。なお、暖房運転状態では、暖房循環ポンプ５１は常時オンとなっている。
【０１２９】
暖房運転状態で、−９°Ｃ＜ＨＰ温度≦−６°Ｃである場合には、融雪電力供給停止期間中に、開閉弁６２を１０分間開状態とした後に５０分間閉状態にする制御を１セットとして、これを繰り返す制御を行う。
【０１３０】
暖房運転状態で、−１９°Ｃ＜ＨＰ温度≦−９°Ｃである場合には、融雪電力供給停止期間中に、開閉弁６２を１０分間開状態にした後に３０分間閉状態にする制御を１セットとして、これを繰り返す制御を行う。
【０１３１】
暖房運転停止状態で、ＨＰ温度≦−１９°Ｃである場合には、融雪電力供給停止期間中に、開閉弁６２を１０分間開状態にした後に２０分間閉状態にする制御を１セットとして、これを繰り返す制御を行う。
【０１３２】
このように、融雪電力供給停止期間でも、暖房循環ポンプ５１を作動し、開閉弁６２を開状態にすることで、温液をヒートポンプ３１に通すので、ヒートポンプ３１が凍結することがない。また、融雪電力供給停止期間で常時、暖房循環ポンプ５１を作動するのではなく、ヒートポンプ３１が凍結しない範囲で間欠作動するので、無駄な作動による電力消費を防止することができる。
【０１３３】
なお、凍結防止制御での閾値となる温度や、間欠作動の時間は適宜変更可能であり、熱媒として用いる流体により変更される。例えば、熱媒として温水を用いてもよく、この場合には、ＨＰ温度＞３°Ｃである場合には、融雪電力供給停止期間（２時間）で、開閉弁６２を常時閉状態にし、暖房循環ポンプ５１を常時オフにする制御を行う。すなわち、不凍液を用いるものよりも閾値が９°Ｃ上がる。
【０１３４】
図３に示すように、暖房装置１では、設置作業後に、流路（配管）が正常に接続されているか否かを判定する正常接続判定を行う。
【０１３５】
正常接続判定では、まず、燃焼制御部７４が低温側暖房端末機５Ｌの暖房運転を行う（ＳＴＥＰ１）。この暖房運転では、燃焼制御部７４は暖房循環ポンプ５１をオンする（ＳＴＥＰ２）。このとき、燃焼式熱源機４１は、低温側暖房端末機５Ｌの暖房運転（温液：６０°Ｃ）を行うために、送られてくる温液の温度に応じて作動する。なお、施工後の試運転等で正常接続判定を行う場合、暖房運転を行う必要はない。
【０１３６】
タンク制御部７２は分配弁２３をバイパスＯＮ状態に制御して、ポンプ制御部７３は蓄熱用循環ポンプ１８及びヒートポンプ３１を作動する。これにより、貯留タンク１１内の温液が蓄熱用温液循環流路１２で凝縮機３５を経由して循環しつつ８０°Ｃに加熱され、貯留タンク１１内の温液の蓄熱（ヒートポンプ沸き上げ）が行なわれる（ＳＴＥＰ３）。
【０１３７】
貯留タンク１１が８０°Ｃの温液で満タンになった場合（ＳＴＥＰ４で「ＹＥＳ」）、燃焼制御部７４は、暖房循環ポンプ５１をオン状態で継続して、燃焼式熱源機４１をオフする（ＳＴＥＰ５）。貯留タンク１１が８０°Ｃの温液で満タンでない場合（ＳＴＥＰ４で「ＮＯ」）、再びＳＴＥＰ２が行われる。なお、満タンではなく、８０°Ｃの温液が温度センサ１４ａで検出されるまで貯留タンク１１に貯留された場合に、ＳＴＥＰ５以降の処理を行うようにしてもよい。
【０１３８】
タンク制御部７２は分配弁２３をバイパスＯＦＦ状態に制御して、ポンプ制御部７３は蓄熱用循環ポンプ１８及びヒートポンプ３１の作動を停止する（ＳＴＥＰ６）。
【０１３９】
次に、温度センサ１４ａ，２５，２６での検出温度データがそれぞれタンク制御部７２に送られ、タンク制御部７２は、温度センサ１４ａでの検出温度から所定温度（例えば、５°Ｃ）減算した温度（以下、減算温度と称する）を算出し、温度センサ２５，２６のそれぞれの検出温度が、上記減算温度よりも高い場合（ＳＴＥＰ７で「ＹＥＳ」）、その状態の継続時間をタイマ（図示せず）により計時し、所定時間（例えば、５秒）継続しているか否かを判定する（ＳＴＥＰ８）。なお、温度センサ２６のみの検出温度を用いてＳＴＥＰ７を行うようにしてもよい。
【０１４０】
温度センサ２５，２６のそれぞれの検出温度が、上記減算温度よりも高い状態が５秒継続している場合（ＳＴＥＰ８で「ＹＥＳ」）、タンク制御部７２は、配管が正常に接続されていると判定し（ＳＴＥＰ９）、その旨をリモコンに表示させる（ＳＴＥＰ１０）。なお、所定時間の継続を判定せず（ＳＴＥＰ８を行わず）に、ＳＴＥＰ７で「ＹＥＳ」となった場合に、ＳＴＥＰ９、ＳＴＥＰ１０を行うようにしてもよい。本実施形態では、タンク制御部７２が各暖房用温液循環路１３ａ〜１３ｄと貯留タンク１１との正常接続を判定する構成と、正常接続状態である場合にその旨を表示するリモコンとにより、本発明の正常接続判定手段が構成される。
【０１４１】
また、上記所定時間を、貯留タンク１１の上部から温度センサ１４ａまでの貯留タンク１１の容量と、温液の流量とに基づいて決定するようにしてもよい。この場合、温液の流量を検出する流量センサを、上流側暖房用温液循環往路１３ａに装着する。貯留タンク１１の上部から温度センサ１４ａまでの貯留タンク１１の容量をＱ（Ｌ：リットル）、温液の流量をＦ（Ｌ／ｓ）としたときに、所定時間は（Ｑ／Ｆ）未満に設定することが好ましい。本実施形態では、貯留タンク１１の容量は３０Ｌ、Ｑは８Ｌであり、例えばＦが１Ｌ／ｓの場合には所定時間を８秒未満に設定し、Ｆが２Ｌ／ｓの場合には所定時間を４秒未満に設定する。さらに、温度センサ２５，２６のどちらか一方のみを設け、そのどちらか一方の検出温度を用いて正常接続判定を行うようにしてもよい。
【０１４２】
一方、タンク制御部７２は、温度センサ２５，２６の検出温度の少なくとも一方が、上記減算温度以下である場合（ＳＴＥＰ７で「ＮＯ」）、その状態の継続時間をタイマにより計時し、所定時間（例えば、６０秒）継続しているか否かを判定する（ＳＴＥＰ１１）。６０秒継続している場合（ＳＴＥＰ１１で「ＹＥＳ」）、タンク制御部７２は、配管が誤接続されていると判定し（ＳＴＥＰ１２）、その旨をリモコンに表示させる（ＳＴＥＰ１３）。なお、所定時間の継続を判定せず（ＳＴＥＰ１１を行わず）に、ＳＴＥＰ７で「ＮＯ」となった場合に、ＳＴＥＰ１２、ＳＴＥＰ１３を行うようにしてもよい。
【０１４３】
また、タンク制御部７２は、温度センサ２５，２６のそれぞれの検出温度が、上記減算温度よりも高い状態が５秒継続していない場合（ＳＴＥＰ８で「ＮＯ」）や、温度センサ２５，２６の検出温度の少なくとも一方が、上記減算温度以下である状態が６０秒継続していない場合（ＳＴＥＰ１１で「ＮＯ」）、再びＳＴＥＰ７を行う。
【０１４４】
本実施形態では、８０°Ｃの温液が満タンの貯留タンク１１から燃焼式熱源機ユニット４に温液を送る際、配管が正常に接続されている場合には、貯留タンク１１内の温度センサ１４ａで温度検出されている温液（８０°Ｃ）が上流側暖房用温液循環往路１３ａに供給されて、上流側暖房用温液循環往路１３ａに設けられた温度センサ２５，２６で温度が検出される。したがって、温度センサ１４ａでの検出温度と、温度センサ２５，２６での検出温度とは、ほぼ同じ（８０°Ｃ程度）となる。すなわち、温度センサ２５，２６のそれぞれの検出温度が、上記減算温度（８０°Ｃ−５°Ｃ＝７５°Ｃ）よりも高い状態となる。この状態が５秒以上継続している場合（ＳＴＥＰ８で「ＹＥＳ」）、タンク制御部７２は、配管が正常に接続されていると判定し、その旨をリモコンに表示させる。
【０１４５】
これに対して、図４に示すように、配管が誤接続されている場合には、高温側暖房端末機５Ｈ及び低温側暖房端末機５Ｌを経由して放熱されて、上流側暖房用温液循環復路１３ｃから送られる温液（６０°Ｃ程度）が上流側暖房用温液循環往路１３ａを通るため、温度センサ２５，２６での検出温度が６０°Ｃ程度となり、上記減算温度（７５°Ｃ）以下となる（ＳＴＥＰ７で「ＮＯ」）。この状態が６０秒継続している場合（ＳＴＥＰ１１で「ＹＥＳ」）には、タンク制御部７２は、配管が誤接続されていると判定し、その旨をリモコンに表示させる。
【０１４６】
上記実施形態では、温度センサ１４ａでの検出温度を用いて正常接続判定を行っているが、温度センサ１４ｂ，１４ｃでの検出温度を用いて正常接続判定を行うようにしてもよい。この場合、貯留タンク１１の上部から温度センサ１４ｂまでの貯留タンク１１の容量（Ｑ）は１５Ｌ、貯留タンク１１の上部から温度センサ１４ｃまでの貯留タンク１１の容量（Ｑ）は２０Ｌであり、これらの数値を用いて上記計算式（Ｑ／Ｆ）により算出された算出値に基づいて、上記所定時間を設定する。
【０１４７】
上記実施形態では、凍結防止用流路を設けているが、凍結防止用流路が設けられていない暖房装置にも本発明は実施可能である。
【０１４８】
上記実施形態では、通常電力により燃焼式熱源機を駆動しているが、燃焼式熱源機に代えて通常電力により駆動する電気式熱源機を設けた暖房装置にも本発明は実施可能である。
【符号の説明】
【０１４９】
１…暖房装置、２…貯留タンクユニット、３…ヒートポンプユニット、４…燃焼式熱源機ユニット、５Ｈ，５Ｌ…暖房端末機、１１…貯留タンク、１２ａ…蓄熱用温液循環往路、１２ｂ…蓄熱用温液循環復路１２ｂ、１３ａ…上流側暖房用温液循環往路、１３ａ…下流側暖房用温液循環往路、１３ｃ…上流側暖房用温液循環復路、１３ｄ…下流側暖房用温液循環復路、１４ａ〜１４ｃ，１６，１７，１９，２０，２２，２５〜２７…温度センサ、２３…分配弁、２４…バイパス流路、３１…ヒートポンプ、５１…暖房循環ポンプ、７２…タンク制御部
【図１】
0006530299.tif 000002
【図２】
0006530299.tif 000003
【図３】
0006530299.tif 000004
【図４】
0006530299.tif 000005